(57)【特許請求の範囲】
【請求項１】
前軸と後軸とを継手部材に螺合して接続する筆記具において、継手部材にピッチの異なる第１ネジ部と第２ネジ部を形成し、継手部材の第２ネジ部に前軸を螺合するとともに、第１ネジ部に内軸を螺合し、更に、内軸に先部材を取り付け、先部材と継手部材により前軸を挾持したことを特徴とする筆記具。
【請求項２】
前軸と後軸とを継手部材に螺合して接続する筆記具において、継手部材にピッチの異なる第１ネジ部と第２ネジ部を形成し、継手部材の第２ネジ部に前軸を螺合するとともに、第１ネジ部に先部材を螺合し、先部材と継手部材により前軸を挾持したことを特徴とする筆記具。
【請求項３】
前軸と後軸とを継手部材に螺合して接続する筆記具において、継手部材にピッチの異なる第１ネジ部と第２ネジ部を形成し、継手部材の第２ネジ部に前軸を螺合するとともに、第１ネジ部に内軸を螺合し、内軸と継手部材により前軸を挾持したことを特徴とする筆記具。
【請求項４】
前軸を木製で構成したことを特徴とする請求項１乃至３のいずれか１項に記載の筆記具。
【発明の詳細な説明】
【技術分野】
【０００１】
本発明は、前軸と後軸とを継手部材に螺合して接続する筆記具に関する。
【背景技術】
【０００２】
従来、継手の中間部に金輪を螺合するとともに、継手の雄ねじ部に前軸筒及び後軸筒を螺合した筆記具が知られている。しかも、ペン体の交換等で前軸筒と後軸筒のいずれか一方をはずす際に、他方ははずれない方がよいので、前軸筒または後軸筒のいずれか一方を、継手の雄ねじ部に螺合すると共に接着により固着する必要があった。（特許文献１の段落（００１０）参照）
【特許文献１】特開平１１−１７０７５５号公報
【発明の開示】
【発明が解決しようとする課題】
【０００３】
しかし、上記した筆記具は、継手部材に対して前軸あるいは後軸のどちらか一方の螺合を接着により固着しなければならず、生産工程が複雑となって非常にコスト高になってしまうものであった。また、接着したものは塗布量がバラツクために外れてしまう恐れがあった。特に、前軸を木製にした場合には、湿気によって前軸が膨張し、前軸と継手部材の接着が外れやすいという課題があった。
【０００４】
本発明は、上記課題を解消する筆記具を提供することを目的とするものである。
【課題を解決するための手段】
【０００５】
本発明は、前軸と後軸とを継手部材に螺合して接続する筆記具において、継手部材にピッチの異なる第１ネジ部と第２ネジ部を形成し、継手部材の第２ネジ部に前軸を螺合するとともに、第１ネジ部に内軸を螺合し、更に、内軸に先部材を取り付け、先部材と継手部材により前軸を挾持したことを第１の要旨とする。
【０００６】
また、前軸と後軸とを継手部材に螺合して接続する筆記具において、継手部材にピッチの異なる第１ネジ部と第２ネジ部を形成し、継手部材の第２ネジ部に前軸を螺合するとともに、第１ネジ部に先部材を螺合し、先部材と継手部材により前軸を挾持したことを第２の要旨とする。
【０００７】
更に、前軸と後軸とを継手部材に螺合して接続する筆記具において、継手部材にピッチの異なる第１ネジ部と第２ネジ部を形成し、継手部材の第２ネジ部に前軸を螺合するとともに、第１ネジ部に内軸を螺合し、内軸と継手部材により前軸を挾持したことを第３の要旨とする。
【０００８】
更にまた、前軸を木製で構成したことを第４の要旨とする。
【発明の効果】
【０００９】
本発明の筆記具は、継手部材の第１ネジ部と第２ネジ部を異なるピッチで形成することにより、前軸と継手部材は回転方向に力が加えられても前軸と継手部材の第２ネジ部の螺合が外れることがなく、前軸と継手部材を接着する必要がないので、低コストで生産できるという効果が奏せられるものである。しかも、前軸に対して後軸に回転方向の力が加えられた場合には、継手部材と後軸の螺合が簡単に外れる効果も得られるものである。
【００１０】
また、前軸を木製で構成し、湿気によって前軸が膨張しても前軸と継手部材の螺合が外れる心配がないという効果も期待できるものである。
【発明を実施するための最良の形態】
【００１１】
継手部材にピッチの異なる第１ネジ部と第２ネジ部を形成し、継手部材の第２ネジ部に前軸を螺合した時に、回転方向に力が加えられても前軸と継手部材の螺合が外れる恐れがない筆記具を実現した。
【実施例１】
【００１２】
以下、図１に基づいて本発明における実施例１の筆記具を説明する。また、図１の左側を前方とし、右側を後方とする。先ず、木製の前軸１の後部にピッチ１の雌ネジ部１Ａを形成する。次に、黄銅製の内軸２の前部及び後部にピッチ０．７５の雌ネジ部２Ａを形成する。更に、金属製の継手部材３にピッチ０．７５の第１雄ネジ部３Ａを形成するとともに、第１雄ネジ部３Ａより後方でやや太径の第２雄ネジ部３Ｂを形成する。この第２雄ネジ部３Ｂはピッチ１で形成する。また、継手部材３の後部にピッチ１の後雄ネジ部３Ｃを形成する。更に、金属製の先部材４の後部にピッチ０．７５の雄ネジ部４Ａを形成する。
【００１３】
上記継手部材３の第１雄ネジ部３Ａに内軸２の雌ネジ部２Ａを螺合する。この時、内軸２の後端が継手部材３の段部３Ｄに当接するまでしっかり螺合する。内軸２は両側に同じピッチの雌ネジ部２Ａが形成されているので、組立時にどちら向きに螺合しても良いので螺合を容易に行うことができる。次に、この内軸２を前軸１の後方より挿入し、前軸１の雌ネジ部１Ａに継手部材３の第２雄ネジ部３Ｂを螺合する。この時も、前軸１の後端が継手部材３の鍔部３Ｅに当接するまでしっかり螺合する。
【００１４】
次に、前記先部材４の雄ネジ部４Ａを内軸２の前側の雌ネジ部２Ａにしっかり螺合し、先部材４の段部４Ｂと継手部材３の鍔部３Ｅにより前軸１を挾持する。この状態では、前軸１と継手部材３は回転方向に力が加えられても、継手部材３の第１雄ネジ部３Ａと第２雄ネジ部３Ｂのピッチが異なっている為、前軸１に対して継手部材３は回転できず、前軸１より継手部材３が外れてしまう恐れはない。
【００１５】
尚、先部材４の雄ネジ部４Ａと内軸２の雌ネジ部２Ａは接着してもしなくてもどちらでも良いが、接着しておけば、先部材４が内軸２から外れてしまう恐れはなくなるものである。
【００１６】
この時、湿気等により木製の前軸１が膨張を繰り返しても前軸１に先部材４あるいは継手部材３を直接接着していないので、前軸１から先部材４及び継手部材３が外れてしまう恐れは全くない。
【００１７】
更に、継手部材３の後雄ネジ部３Ｃに木製の後軸５が螺合され、筆記具の軸筒が構成される。
【００１８】
前記軸筒は、図２に示したように、従来一般的に知られているチャック６および芯タンク７等からなる機構部が内蔵され、更に、先端に口金８が取り付けられるとともに、後軸５にクリップ９が取り付けられ、かつ、後軸５に設けられた頭冠１０の後端よりノブ１１が突出してノック式シャープペンシルが構成される。
【００１９】
また、機構部を外す等の理由により継手部材３から後軸５を外す場合には、前軸１を保持し、後軸５を逆回転させると、前述した様に前軸１に対して継手部材３は回転できないので、継手部材３に対して後軸５が逆回転し、継手部材３の後雄ネジ部３Ｃより後軸５の螺合を外すことができる。
【実施例２】
【００２０】
以下、図３に基づいて本発明における実施例２の筆記具を説明する。尚、図１と同一部材は同一の符号を付してその説明を省略する。金属製の継手部材１０３にピッチ０．７５の第１雄ネジ部１０３Ａを形成するとともに、第１雄ネジ部１０３Ａより後方でやや太径の第２雄ネジ部１０３Ｂを形成する。この第２雄ネジ部１０３Ｂはピッチ１で形成する。また、継手部材１０３の後部にピッチ１の後雌ネジ部１０３Ｆを形成する。
【００２１】
上記継手部材１０３の第１雄ネジ部１０３Ａに内軸２の雌ネジ部２Ａを螺合する。この時、内軸２の後端が継手部材１０３の段部１０３Ｄに当接するまでしっかり螺合する。この内軸２を前軸１の後方より挿入し、前軸１の雌ネジ部１Ａに継手部材１０３の第２雄ネジ部１０３Ｂを螺合する。この時も、前軸１の後端が継手部材１０３の外段部１０３Ｇに当接するまでしっかり螺合する。
【００２２】
次に、先部材４の雄ネジ部４Ａを内軸２の前側の雌ネジ部２Ａにしっかり螺合し、先部材４の段部４Ｂと継手部材１０３の外段部１０３Ｇにより前軸１を挾持する。この状態では、前軸１と継手部材１０３は回転方向に力が加えられても、継手部材１０３の第１雄ネジ部１０３Ａと第２雄ネジ部１０３Ｂのピッチが異なっている為、前軸１に対して継手部材１０３は回転できず、前軸１より継手部材１０３が外れてしまう恐れはない。
【００２３】
更に、継手部材１０３の後雌ネジ部１０３Ｆに木製の後軸１０５を螺合し筆記具の軸筒を構成する。
【００２４】
この実施例２においても、木製の前軸１には接着により固着される部材がないので、湿気により前軸１が膨張しても部材が外れてしまう恐れはない。
【実施例３】
【００２５】
以下、図４に基づいて本発明における実施例３の筆記具を説明する。尚、図１と同一部材は同一の符号を付してその説明を省略する。黄銅製の内軸１０２の後部にピッチ０．７５の雌ネジ部１０２Ａを形成する。更に、金属製の先部材１０４の後部に筒部１０４Ｃを形成する。
【００２６】
先ず、継手部材３の第１雄ネジ部３Ａに内軸１０２の雌ネジ部１０２Ａを螺合する。この時、内軸１０２の後端が継手部材３の段部３Ｄに当接するまでしっかり螺合する。次に、この内軸１０２を前軸１の後方より挿入し、前軸１の雌ネジ部１Ａに継手部材３の第２雄ネジ部３Ｂを螺合する。この時も、前軸１の後端が継手部材３の鍔部３Ｅに当接するまでしっかり螺合する。
【００２７】
次に、前記先部材１０４の筒部１０４Ｃを内軸１０２の前端に圧入固着し、先部材１０４の段部１０４Ｂと継手部材３の鍔部３Ｅにより前軸１を挾持する。この状態では、前軸１と継手部材３は回転方向に力が加えられても、継手部材３の第１雄ネジ部３Ａと第２雄ネジ部３Ｂのピッチが異なっている為に、前軸１に対して継手部材３は回転できず、前軸１より継手部材３が外れてしまう恐れはない。
【００２８】
この実施例３は、内軸１０２に先部材１０４が圧入固着して取り付けられるので、組立が簡単に行える利点がある。
【実施例４】
【００２９】
以下、図５に基づいて本発明における実施例４の筆記具を説明する。尚、図１と同一部材は同一の符号を付してその説明を省略する。黄銅製の内軸２０２の前部にピッチ０.７５の雌ネジ部２０２Ａを形成するとともに、後部にピッチ０.７５の雄ネジ部２０２Ｂを形成する。更に、金属製の継手部材２０３にピッチ０.７５の第１雌ネジ部２０３Ｈを形成するとともに、第１雌ネジ部２０３Ｈより太径でかつ外側に位置して第２雄ネジ部２０３Ｂを形成する。この第２雄ネジ部２０３Ｂはピッチ１で形成する。また、継手部材２０３の後部にピッチ１の後雄ネジ部２０３Ｃを形成する。
【００３０】
上記継手部材２０３の第１雌ネジ部２０３Ｈに内軸２０２の雄ネジ部２０２Ｂを螺合する。この時、内軸２０２の段部２０２Ｃが継手部材２０３の前端に当接するまでしっかり螺合する。次に、この内軸２０２を前軸１の後方より挿入し、前軸１の雌ネジ部１Ａに継手部材２０３の第２雄ネジ部２０３Ｂを螺合する。この時も、前軸１の後端が継手部材２０３の鍔部２０３Ｅに当接するまでしっかり螺合する。
【００３１】
次に、先部材４の雄ネジ部４Ａを内軸２０２の雌ネジ部２０２Ａにしっかり螺合し、先部材４の段部４Ｂと継手部材２０３の鍔部２０３Ｅにより前軸１を挾持する。この状態では、前軸１と継手部材２０３は回転方向に力が加えられても、継手部材２０３の第１雌ネジ部２０３Ｈと第２雄ネジ部２０３Ｂのピッチが異なっている為、前軸１に対して継手部材２０３は回転できず、前軸１より継手部材２０３が外れてしまう恐れはない。
【００３２】
この実施例４は、継手部材２０３の全長が短くなり、材料費の節約になる利点がある。
【実施例５】
【００３３】
以下、図６に基づいて本発明における実施例５の筆記具を説明する。尚、図１と同一部材は同一の符号を付してその説明を省略する。金属製の先部材２０４の後部を後方に伸ばして内軸部２０４Ｄを一体に構成する。この内軸部２０４Ｄの後部にピッチ０.７５の雌ネジ部２０４Ｅを形成する。
【００３４】
先ず、継手部材３の第２雄ネジ部３Ｂを前軸１の雌ネジ部１Ａに螺合する。この時、前軸１の後端が継手部材３の鍔部３Ｅに当接するまでしっかり螺合する。
【００３５】
次に、前記先部材２０４の雌ネジ部２０４Ｅを継手部材３の第１雄ネジ部３Ａに螺合し、先部材２０４の段部２０４Ｂと継手部材３の鍔部３Ｅにより前軸１を挾持する。この状態では、前軸１と継手部材３は回転方向に力が加えられても、継手部材３の第１雄ネジ部３Ａと第２雄ネジ部３Ｂのピッチが異なっている為、前軸１に対して継手部材３は回動できず、前軸１より継手部材３が外れてしまう恐れはない。
【００３６】
この実施例５は、先部材２０４に内軸部２０４Ｄが一体に構成されているので、組立が簡略化される利点がある。
【実施例６】
【００３７】
以下、図７に基づいて本発明における実施例６の筆記具を説明する。尚、図１と同一部材は同一の符号を付してその説明を省略する。先ず、木製の前軸１０１の後部にピッチ１の雌ネジ部１０１Ａを形成する。更に、前軸１０１の後部に内鍔１０１Ｂを形成する。次に、黄銅製の内軸３０２の後部にピッチ０.７５の雄ネジ部３０２Ｂを形成するとともに、内軸３０２の前部に外鍔３０２Ｄを形成する。この内軸３０２の前端に断面六角形の前部孔３０２Ｅを形成する。
【００３８】
次に、継手部材２０３の第２雄ネジ部２０３Ｂに前軸１０１の雌ネジ部１０１Ａを螺合する。また、前記内軸３０２の前部孔３０２Ｅに六角レンチを嵌合して内軸３０２を前軸１０１の前方から挿入し、内軸３０２の雄ネジ部３０２Ｂを継手部材２０３の第１雌ネジ部２０３Ｈに螺合し、内軸３０２の外鍔３０２Ｄを前軸１０１の内鍔１０１Ｂに当接する。従って、内軸３０２の外鍔３０２Ｄと継手部材２０３の鍔部２０３Ｅにより前軸１０１が挾持される。
【００３９】
この状態では、前軸１０１と継手部材２０３は回転方向に力が加えられても、継手部材２０３の第１雌ネジ部２０３Ｈと第２雄ネジ部２０３Ｂのピッチが異なっている為、前軸１０１に対して継手部材２０３は回動できず、前軸１０１より継手部材２０３が外れてしまう恐れはない。更に、前軸１０１の前部に先部材３０４が螺合される。
【００４０】
この実施例６は、六角レンチを用いて内軸３０２を回転させ継手部材２０３から内軸３０２を外さない限り、前軸１０１の雌ネジ部１０１Ａと継手部材２０３の第２雄ネジ部２０３Ｂは外れないので、前軸１０１と継手部材２０３は確実に固定される。
【００４１】
尚、本発明は上記実施例に限定されるものではなく、鞘に金属製の金輪を圧入あるいは接着等により固着して後軸を構成しても良いし、前軸、後軸、内軸、継手部材、先部材といった部材は複数の部材を圧入あるいは接着等により固着して一体化することも可能である。
【００４２】
また、筆記具としては、ノック式シャープペンシルに限定されるものではなく、ボールペン、万年筆、サインペン等種々の筆記具に利用できるものである。
【産業上の利用可能性】
【００４３】
後軸を継手部材に螺合して接続する筆記具において、前軸に継手部材を接着することなく螺合しているにもかかわらず、前軸に対して継手部材を回転させようとしても前軸と継手部材の螺合が外れる心配がない筆記具に適用できる。
【図面の簡単な説明】
【００４４】
【図１】本発明の実施例１の筆記具を示す主要部断面図である。（実施例１）
【図２】本発明の実施例１の筆記具を示す断面図である。（実施例１）
【図３】本発明の実施例２の筆記具を示す主要部断面図である。（実施例２）
【図４】本発明の実施例３の筆記具を示す主要部断面図である。（実施例３）
【図５】本発明の実施例４の筆記具を示す主要部断面図である。（実施例４）
【図６】本発明の実施例５の筆記具を示す主要部断面図である。（実施例５）
【図７】本発明の実施例６の筆記具を示す主要部断面図である。（実施例６）
【符号の説明】
【００４５】
１  前軸
２  内軸
３  継手部材
４  先部材
５  後軸
１０１  前軸
１０２  内軸
１０３  継手部材
１０４  先部材
１０５  後軸
２０２  内軸
２０３  継手部材
２０４  先部材
３０２  内軸
３０４  先部材
【図１】
0004873744.tif 000002
【図２】
0004873744.tif 000003
【図３】
0004873744.tif 000004
【図４】
0004873744.tif 000005
【図５】
0004873744.tif 000006
【図６】
0004873744.tif 000007
【図７】
0004873744.tif 000008